(57)【要約】【課題】粘着テープによってジョイントコネクタをワイヤーハーネスに固定した後、コネクタが粘着テープから抜け落ちるのを防止すること。【解決手段】複数の電線に接続されるコネクタ（３、４）を前記ワイヤハーネス（２）の外側面に固定するワイヤハーネスへのコネクタの固定方法であって、コネクタ（３、４）の上部側壁面に係合突起（１６）を形成し、コネクタ（３、４）の下部側壁面に前記係合突起（１６）が係合する係合凹部（１９）を形成してなり、コネクタ（３、４）を２個重ね合わせ前記下部側壁面に形成される係合突起（１６）を前記上部側壁面に形成される係合凹部（１９）に嵌合し、重ね合わせた２個のコネクタ（３、４）を粘着テープ（８）で前記ワイヤハーネス（２）に巻き付けで固定する。【選択図】  図１
2019012671.tif 000002
【特許請求の範囲】
【請求項１】
複数のワイヤハーネスの幹線から分岐される複数の電線に接続されるコネクタを前記ワイヤハーネスの外側面に固定するワイヤハーネスへのコネクタの固定方法であって、
前記コネクタの上部側壁面に係合突起を形成し、前記コネクタの下部側壁面に前記係合突起が係合する係合凹部を形成してなり、
前記コネクタを２個重ね合わせ前記下部側壁面に形成される前記係合突起を前記上部側壁面に形成される係合凹部に嵌合し、
前記重ね合わせた２個のコネクタを粘着テープで前記ワイヤハーネスに巻き付けで固定する
ことを特徴とするコネクタの固定方法。
【請求項２】
請求項１に記載のコネクタの固定方法において、
前記コネクタは、
前記ワイヤハーネスの幹線から分岐される複数の電線のそれぞれに装着された複数の電線側端子と接続されるとともにそのうちの特定の電線側端子同士を相互に短絡させる機能をもつジョイントコネクタである
ことを特徴とするコネクタの固定方法。
【請求項３】
請求項１又は２に記載のコネクタの固定方法において、
前記コネクタの係合突起は、蟻ほぞに形成し、前記コネクタの係合凹部は、蟻溝に形成してなるものである
ことを特徴とするコネクタの固定方法。
【発明の詳細な説明】
【技術分野】
【０００１】
本発明は、ワイヤーハーネスにコネクタを固定するコネクタの固定方法に係り、特にワイヤーハーネスから分岐した電線に接続されるコネクタをコネクタに固定する際の作業性を向上することのできるコネクタの固定方法に関する。
【背景技術】
【０００２】
自動車用のワイヤハーネスには、複数の電線が収納されている。このワイヤハーネスに収納される電線の一部を取り出して分岐回路が形成されている。このワイヤハーネスから分岐して取り出された電線は自動車に搭載されている各種電子機器に接続される。
このワイヤハーネスから分岐して取り出された電線は、自動車に搭載された電子機器とを接続する場合、各種のコネクタが多く用いられている。
このワイヤハーネスとコネクタとを接続する場合に、標準仕様の場合は、定型的な布線でもよい。しかしながら、一部仕様を変更する場合には、オプション回路を形成するために別のコネクタをワイヤハーネス上に固定する場合がある。
【０００３】
このような従来のワイヤーハーネス１００は、図１１に示す如く、複数の電線１０１から成る電線束を有しており、複数の電線１０１の一部である複数の電線１０１が支線１０２として幹線１０３から分岐されている（特許文献１）。支線１０２の端部には、コネクタセット１０４が取り付けられている。このコネクタセット１０４及び支線１０２は、被覆材である透明のビニール袋１０５によって覆われている。
また、コネクタセット１０４及び支線１０２は、ビニール袋１０５に覆われた状態で粘着テープ１０６によって幹線１０３に固定されている。
【０００４】
このコネクタセット１０４は、ジョイントコネクタと称されており、支線１０３を構成する複数の電線１０１の端部のそれぞれに取り付けられた図示されていない端子が挿入されるメス型コネクタ２０１と、当該メス型コネクタ２０１に嵌合するオス型コネクタ２０２とによって構成されている。このオス型コネクタ２０２には、図示されていないバスバーが設けられている。
【０００５】
そして、オス型コネクタ２０２とメス型コネクタ２０１とが嵌合すると、オス型コネクタ２０２に設けられた図示されていないバスバーが、メス型コネクタ２０１に挿入された図示されていない複数の端子と嵌合するようになっている。この複数の端子によって、支線１０３の端部に取り付けられた図示されていない複数の端子の間が短絡するようになっている。したがって、図示されていないバスバーの形状によって、図示されていない複数の端子において、どの端子とどの端子とが短絡するかが決定されるようになっている。
【０００６】
この従来のワイヤーハーネス１００は、粘着テープ１０６によってビニール袋１０５の口を縛り、この粘着テープ１０６によって支線１０２の分岐根本部分が幹線１０３に固定されている。そして、粘着テープ１０６は、支線１０２の分岐根本部分からコネクタセット１０４に向かって、ビニール袋１０５の上から支線１０２と幹線１０３とを一緒に巻き付けてある。
このように粘着テープ１０５を、ビニール袋１０５の上からコネクタセット１０４と幹線１０３とに対して一緒に巻き付けて、ワイヤーハーネス１００が形成されている。
【先行技術文献】
【特許文献】
【０００７】
【特許文献１】特開２０１３−１４５７０１号公報
【発明の概要】
【発明が解決しようとする課題】
【０００８】
このような従来のワイヤーハーネス１００へのコネクタの固定方法は、粘着テープ１０６によってビニール袋１０５の口を縛り、支線１０２の分岐根本部分からコネクタセット１０４に向かって、ビニール袋１０５の上から支線１０２と幹線１０３とを一緒に巻き付けてワイヤーハーネス１００の幹線１０３に固定しているため、粘着テープ１０６がコネクタセット１０４に巻かれず、固定不足によってコネクタの固定の品質が不安定になるという問題点を有している。
【０００９】
また、従来のワイヤーハーネス１００へのコネクタの固定方法は、粘着テープ１０６によってビニール袋１０５の上から支線１０２と幹線１０３とを一緒に巻き付けてワイヤーハーネス１００の幹線１０３に固定しているため、ワイヤーハーネス１００の軸方向に力が加わった場合、コネクタセット１０４が粘着テープ１０６から抜け落ちることがあるという問題点を有している。
【００１０】
さらに、従来のワイヤーハーネス１００へのコネクタの固定方法は、粘着テープ１０６によってビニール袋１０５の上から支線１０２と幹線１０３とを一緒に巻き付けてワイヤーハーネス１００の幹線１０３に固定しているため、コネクタセット１０４を積層して固定する場合、積層したコネクタセット１０４同士がずれを生じ、粘着テープ１０６でコネクタセット１０４を固定するときの作業性が悪いという問題点を有している。
【００１１】
本発明の１つの目的は、上記した事情に鑑みてなされたもので、粘着テープによってジョイントコネクタをワイヤーハーネスに固定する際に、粘着テープがコネクタセットに巻かれないことがなく、固定不足を生じることがなくコネクタの固定の品質を安定することのできるコネクタの固定方法を提供することにある。
【００１２】
本発明の他の１つの目的は、上記した事情に鑑みてなされたもので、粘着テープによってジョイントコネクタをワイヤーハーネスに固定した後、コネクタが粘着テープから抜け落ちるのを防止することにある。
【００１３】
本発明のさらに他の１つの目的は、上記した事情に鑑みてなされたもので、複数のジョイントコネクタを積層して固定する場合にジョイントコネクタ同士がずれるのを防止し、粘着テープによってコネクタを固定する際の作業性の悪化を防止することにある。
【課題を解決するための手段】
【００１４】
上記課題を解決するためになされた請求項１に記載の本発明のコネクタの固定方法は、複数のワイヤハーネスの幹線から分岐される複数の電線に接続されるコネクタを前記ワイヤハーネスの外側面に固定するワイヤハーネスへのコネクタの固定方法であって、
前記コネクタの上部側壁面に係合突起を形成し、前記コネクタの下部側壁面に前記係合突起が係合する係合凹部を形成してなり、
前記コネクタを２個重ね合わせ前記下部側壁面に形成される前記係合突起を前記上部側壁面に形成される係合凹部を嵌合し、
前記重ね合わせた２個のコネクタを粘着テープで前記ワイヤハーネスに巻き付けで固定することを特徴とする。
【００１５】
このような特徴を有する請求項１に記載の発明によれば、粘着テープによってジョイントコネクタをワイヤーハーネスに固定する際に、粘着テープがコネクタセットに巻かれないことがなく、固定不足を生じることがなくコネクタの固定の品質を安定することができる。
【００１６】
また、このような特徴を有する請求項１に記載の発明によれば、複数のジョイントコネクタを積層して固定する場合にジョイントコネクタ同士がずれるのを防止することができ、粘着テープによってコネクタを固定する際の作業性の悪化を防止することができる。
【００１７】
上記課題を解決するためになされた請求項２に記載の本発明のコネクタの固定方法は、請求項１に記載のコネクタの固定方法において、前記コネクタを、前記ワイヤハーネスの幹線から分岐される複数の電線のそれぞれに装着された複数の電線側端子と接続されるとともにそのうちの特定の電線側端子同士を相互に短絡させる機能をもつジョイントコネクタで構成したことを特徴とする。
【００１８】
このような特徴を有する請求項２に記載の本発明によれば、ワイヤハーネスの幹線から分岐される複数の電線のそれぞれに装着された複数の電線側端子のうちの特定の電線側端子同士を相互に短絡させることができる。
【００１９】
上記課題を解決するためになされた請求項３に記載の本発明のコネクタの固定方法は、請求項１又は２に記載のコネクタの固定方法において、前記コネクタの係合突起を蟻ほぞに形成し、前記コネクタの係合凹部を蟻溝に形成してなるものであることを特徴とする。
【００２０】
このような特徴を有する請求項３に記載の本発明によれば、２つのコネクタを重ね合わせた際に、コネクタの係合突起と係合凹部の係合を強固にすることができる。
【発明の効果】
【００２１】
このような特徴を有する本発明によれば、粘着テープによってジョイントコネクタをワイヤーハーネスに固定する際に、粘着テープがコネクタセットに巻かれないことがなく、固定不足を生じることがなくコネクタの固定の品質を安定することができる。
【００２２】
さらに、このような特徴を有する本発明によれば、複数のジョイントコネクタを積層して固定する場合にジョイントコネクタ同士がずれるのを防止することができ、粘着テープによってコネクタを固定する際の作業性の悪化を防止することができる。
【図面の簡単な説明】
【００２３】
【図１】ジョイントコネクタを積層してワイヤーハーネスに固定した状態の本発明に係るコネクタの固定方法の実施例を示す全体斜視図である。
【図２】図１に図示のコネクタの固定方法の実施例を後方から見た状態を示す全体斜視図である。
【図３】図１に図示のジョイントコネクタの上方から見た状態を示す全体斜視図である。
【図４】図３に図示のジョイントコネクタの下方から見た状態を示す全体斜視図である。
【図５】図３に図示のジョイントコネクタに同一のジョイントコネクタを重ね合わせることを示す全体斜視図である。
【図６】図５に図示のジョイントコネクタを２段に重ねる状態を示す図である。
【図７】図６に図示のジョイントコネクタに同一のジョイントコネクタを重ね合わせた状態を示す図である。
【図８】図３に図示のジョイントコネクタを２段に重ね合わせて粘着テープによってワイヤーハーネスに固定する手順を示す図である。
【図９】図１に図示のジョイントコネクタを粘着テープによってワイヤーハーネスに固定した状態を側面から見た図である。
【図１０】図３に図示のジョイントコネクタを２段に重ね合わせて粘着テープによってワイヤーハーネスに固定する手順を示す図である。
【図１１】従来のコネクタをワイヤーハーネスに固定する方法を示す図である。
【発明を実施するための形態】
【００２４】
以下、本発明の実施例について図面を用いて説明する。
【００２５】
図面の図１〜図７は、本発明に係るコネクタの固定方法の実施例を示すものである。
図１はジョイントコネクタを積層してワイヤーハーネスに固定した状態の本発明に係るコネクタの固定方法の実施例を示す全体斜視図、図２は図１に図示のコネクタの固定方法の実施例を後方から見た状態を示す全体斜視図、図３は図１に図示のジョイントコネクタの上方から見た状態を示す全体斜視図、図４は図３に図示のジョイントコネクタの下方から見た状態を示す全体斜視図、図５は図３に図示のジョイントコネクタに同一のジョイントコネクタを重ね合わせることを示す全体斜視図、図６は図５に図示のジョイントコネクタを２段に重ねる状態を示す図、図７は図６に図示のジョイントコネクタに同一のジョイントコネクタを重ね合わせた状態を示す図である。
【００２６】
図１、図２には、本発明に係るコネクタの固定方法に基づいてワイヤーハーネスに固定されたジョイントコネクタの全体が示されている。
図１において、コネクタの固定部１は、ワイヤーハーネス２にジョイントコネクタ３、４の該表面に重ね合わせて固定されている。
ワイヤーハーネス２は、複数の電線を束線し外周に被覆チューブを被嵌して構成されている。このワイヤーハーネス２には、被覆チューブ内に収納されている複数の電線から、分岐されて端子金具が取り付けられジョイントコネクタ３，４に挿入されている支線５が設けられている。そして、この支線５は、粘着テープ６が巻き付けられて、ワイヤーハーネス２の幹線７と共に巻き付け固定されている。
【００２７】
支線５の各電線の先端には、図示されていない端子金具が接続されており、この端子金具は、ジョイントコネクタ３、４に装着されている。このようにして支線５は、端子金具を介してジョイントコネクタ３、４に接続されている。
このジョイントコネクタ３、４は、上下二段に重ね合わせられてワイヤーハーネス２の幹線７の上側面に固定されている。ジョイントコネクタ３、４のワイヤーハーネス２の幹線７への固定は、粘着テープ８を巻き付けて行われている。
【００２８】
ジョイントコネクタ３とジョイントコネクタ４には、同一の構成を有しているジョイントコネクタが用いられている。すなわち、ジョイントコネクタ３、４は、図３に示す如く、箱状のハウジング９を備えている。
ハウジング９には、平板状の本体壁１０と、この本体壁１０の幅方向両端部から立ち上がる左右の側壁１１と、前記本体壁１０及び前記側壁１１の後端につながる端子保持部１２と、前記本体壁１０からハウジング内方に突出する複数の仕切り壁１３（図６参照）と、複数のランス（端子係止片）とを一体に有している。
また、ハウジング９の内部には、４極（本実施例において）のタブを有するバスバーが組み込まれている。
【００２９】
ジョイントコネクタ３、４の端子保持部１２には、支線５の電線に接続する端子金具（雄端子）を挿入する端子挿入孔１４が設けられている。
さらに、ジョイントコネクタ３、４の端子保持部１２には、図３に示す如く、支線５の電線の端末に取り付けられている端子金具（雌端子）を挿入し、二重に係止する端子係止部材１５が連結されている。
【００３０】
また、ジョイントコネクタ３、４の端子係止部材１５の後方には、上方に突出する係合凸部１６が設けられている。
この係合凸部１６は、端子係止部材１５の上壁面１７よりも突出する係止突起１８によって構成されている。この係止突起１８は、蟻ほぞの形状に形成されている。
【００３１】
ジョイントコネクタ３、４の下面側は、図４−図６に示す如く、端子挿入孔１４側に端子係止部材１５の係合凸部１６が係合する係合凹部１９が設けられている。この係合凹部１９の両端部には、ジョイントコネクタ３、４の長手方向にガイド片２０、２１が設けられており、このガイド片２０、２１によって、端子係止部材１５の係合凸部１６が嵌合する係合溝２２が構成している。
この係合溝２２は、蟻溝の形状に形成されている。この蟻溝の形状に形成されている係合溝２２に、蟻ほぞの形状に形成されている係止突起１８を嵌合することで、係合溝２２と係止突起１８とが外れ難くすることができ、係合溝２２と係止突起１８との係合状態を強固にすることができる。
なお、係合凸部１６の前面が当接し、ジョイントコネクタ３とジョイントコネクタ４とが重ね合わされた状態において、相対的な移動を規制する当接規制部２３が設けられている。
【００３２】
このジョイントコネクタ３と、ジョイントコネクタ４は、図５、図６に示す如く、ジョイントコネクタ４の上に、ジョイントコネクタ３が重ね合わされて、二重になっており、１つのジョイントコネクタが構成されている。
このように構成されるジョイントコネクタ３、４は、ジョイントコネクタ４の上にジョイントコネクタ３を重ね合わせ、図７に示す如く、ジョイントコネクタ４の係合凸部１６をジョイントコネクタ３の係合凹部１９に嵌合して、係合凸部１６と係合凹部１９との合体手段で合体するようになっている。
【００３３】
本実施例に係るコネクタの固定方法は、図８〜図１０に示されている。
図８は図３に図示のジョイントコネクタを２段に重ね合わせて粘着テープによってワイヤーハーネスに固定する手順を示す図、図９は図１に図示のジョイントコネクタを粘着テープによってワイヤーハーネスに固定した状態を側面から見た図、図１０は図３に図示のジョイントコネクタを２段に重ね合わせて粘着テープによってワイヤーハーネスに固定する手順を示す図である。
【００３４】
本実施例に係るコネクタの固定方法は、まず、端子金具が取り付けられた電線の配策時に必要本数の支線５をジョイントコネクタに挿入する。その後、ワイヤーハーネス２の幹線７と共に粘着テープ６を巻き付け固定する。
【００３５】
次に、ワイヤーハーネス２の幹線７から取り出した支線５の各電線の端末に取り付けられている端子金具（雌端子）をジョイントコネクタ３、４の端子係止部材１５の端子挿入孔１４に装着し、取り付ける。
そして、ジョイントコネクタ４の上に、ジョイントコネクタ３を重ね合わせ、ジョイントコネクタ４の係合凸部１６をジョイントコネクタ３の係合凹部１９に嵌合して、係合凸部１６と係合凹部１９との合体手段で合体する。
【００３６】
しかる後、重ね合わせて合体したジョイントコネクタ３、４をワイヤーハーネス２の幹線７の上に乗せる。このジョイントコネクタ３、４を合体したジョイントコネクタは、ワイヤーハーネス２の幹線７から取り出した支線５を粘着テープ６によって取り付けた固定位置から、ジョイントコネクタ３、４に取り付けられている電線に、図９に示す如く余長を持たせた位置に載置する。
すなわち、ワイヤーハーネス２の支線５の固定位置とジョイントコネクタ３、４の固定位置は、ジョイントコネクタ３、４に取り付けられている電線に余裕を持たせた位置となっている。
【００３７】
そして、ワイヤーハーネス２の幹線７の上に乗せた、合体したジョイントコネクタ３、４をワイヤーハーネス２の幹線７の上に乗せて、図１０に示す如く、粘着テープ８をジョイントコネクタ３、４に巻き付けて、合体したジョイントコネクタ３、４をワイヤーハーネス２の幹線７に固定する。
【００３８】
本実施例によれば、複数のジョイントコネクタ（本実施例では、２個）を合体手段で合体した後、1つのジョイントコネクタとしてワイヤーハーネス２の幹線７に粘着テープ８でテープ巻きにより保持するようにしたので、ジョイントコネクタをワイヤーハーネス２の幹線７に保持させる作業が容易である。
【００３９】
なお、本実施例におけるジョイントコネクタ３、４の合体手段である、係合凸部１６は、ハウジング９の外表面よりも上方に突出して形成されている。
【００４０】
また、本実施例によれば、本実施例におけるジョイントコネクタ３、４の合体手段である、係合凸部１６は、ジョイントコネクタを粘着テープ８のテープ巻きをする際の目印とすることができる。
さらに、本実施例によれば、本実施例におけるジョイントコネクタ３、４の合体手段である、係合凸部１６が、ハウジング９の外表面よりも上方に突出して形成されているため、ジョイントコネクタ３、４の取付のために巻き付けた粘着テープ８が係合凸部１６に当接し、ジョイントコネクタ３、４の長さ方向のズレを抑制することができる。
【００４１】
本発明は本発明の主旨を変えない範囲で種々変更実施可能なことは勿論である。
【符号の説明】
【００４２】
１…コネクタの固定部、  ２…ワイヤーハーネス、  ３、４…ジョイントコネクタ、  ５…支線、  ６…粘着テープ、  ７…幹線、  ８…粘着テープ、  ９…ハウジング、  １５…端子係止部材、  １６…係合凸部、  １７…上壁面、  １８…係止突起、  １９…係合凹部、  ２０、２１…ガイド片、  ２２…係合溝
【図１】
2019012671.tif 000003
【図２】
2019012671.tif 000004
【図３】
2019012671.tif 000005
【図４】
2019012671.tif 000006
【図５】
2019012671.tif 000007
【図６】
2019012671.tif 000008
【図７】
2019012671.tif 000009
【図８】
2019012671.tif 000010
【図９】
2019012671.tif 000011
【図１０】
2019012671.tif 000012
【図１１】
2019012671.tif 000013